(57)【要約】【課題】  表示する時間帯によって区分面の表示順位に優先度を設けて区分面を表示することによって操作性のよい郵便物読取区分機の区分方法を提供する【解決手段】  操作パネル１に、これから処理する郵便物の処理区分に基づいて区分した差立区分処理又は配達区分の区分面が表示され、その表示された区分面に基づいて、操作員が区分面を選択して入力する。このとき、この表示される時間帯によって優先度の高い差立区分処理又は配達区分の区分面が配置される。すなわち、午後に処理される区分面選択画面１５には、午後に処理される優先度の最も高い「ＰＭ差立１３面」が配置され、区分面選択画面１７には、午前に処理される優先度の最も低い「ＡＭ差立１２面」が配置される。【選択図】  図３
2005288347.tif 000002
【特許請求の範囲】
【請求項１】
郵便物に記載された配達区分情報を読み取り、区分面選択画面から選択された区分面によって設定された区分口に、前記郵便物を区分する郵便物読取区分機の区分方法であって、
前記区分面の切り替え指示が入力されたとき、前記郵便物の処理区分によって前記区分口の区分先を設定した前記区分面選択画面の区分面の表示順位を切り替える表示順位設定処理工程と、
この表示順位設定処理工程の処理結果に基づいて、前記区分面選択画面に前記区分面をページに分割して表示するページ分割処理工程と、
このページ分割処理工程の結果に基づいて前記区分面を表示した前記区分面選択画面の最初のページを表示する最初のページ表示処理工程と、
この最初のページ表示処理工程の結果前記最初のページが表示された前記区分面選択画面から区分面が選択されたかを確認する区分面選択確認処理工程と、
前記区分面選択画面から前記区分面が選択されたとき、この区分面を選択状態にする区分面選択処理工程と、
この区分面選択処理工程の後、前記区分面を確定する確定ボタンが押されたとき、確定された区分面によって前記区分口を設定する確定処理工程と
を有することを特徴とする郵便物読取区分機の区分方法。
【請求項２】
前記区分面選択確認処理工程の結果、区分面が選択されず、前記区分面選択画面に表示した次ページ表示ボタンが押されたとき、次のページを表示する次ページ表示処理工程を有することを特徴とする請求項１記載の区分方法。
【請求項３】
前記郵便物読取区分機の設置された自局で収集された郵便物を、その郵便物の配達区分情報に基づいて自局内とそれ以外の方面別に区分する差立区分処理工程と、
自局内で配達区分するために収集された郵便物を自局内の方面毎に区分する配達区分処理工程と
を有することを特徴とする請求項１記載の郵便物読取区分機の区分方法。
【請求項４】
前記表示順位設定処理工程は、
前記区分面の切り替えが指示されたときの時刻を確認する時刻確認処理工程と、
この時刻確認処理工程の結果、確認された時刻が第１の時間帯である場合には、この第１の時間帯に処理される前記郵便物の処理区分に伴う前記区分面を先に表示するように設定する第1の表示順位設定工程と、
前記確認の結果、前記第１の時間帯と異なる第２の時間帯である場合には、この第２の時間帯に処理される前記郵便物の処理区分に伴う前記区分面を先に表示するように設定する第2の表示順位設定工程と
を有することを特徴とする請求項１記載の郵便物読取区分機の区分方法。
【請求項５】
前記次ページ表示処理工程は、
前記区分面選択画面に表示した次ページ表示ボタンと、前ページ表示ボタンによって前記区分面選択画面のページ表示を切り替える際、前記区分面選択画面に表示した次ページ表示ボタンが押されたとき、前記区分面選択画面の現在表示しているページの次のページを表示し、前ページ表示ボタンが押されたとき、現在表示しているページの前のページを表示することを特徴とする前記請求項２記載の郵便物読取区分機の区分方法。
【発明の詳細な説明】
【技術分野】
【０００１】
本発明は、区分面の表示順位が時間帯で切り替わる郵便物読取区分機の区分方法に関する。
【背景技術】
【０００２】
郵便物読取区分機は、区分面と呼ばれる区分・集積部の区分方法を複数持っている。操作者が、郵便物読取区分機の運転前にそれらの区分面選択画面の中から区分面を１つ選択して確定する操作を行うと、郵便物読取区分機は、その区分面で設定された区分方法で郵便物の区分処理を行う。上記区分面には、各々固有の名称あるいは番号が付与されており、区分面選択の操作時には郵便物読取区分機の操作パネルに、その名称あるいは番号の付いた区分面が一覧表の形として表示される。操作者は、その中の所望の１個のボタンをマウスあるいは指で押すことにより選択を行う。このボタンの表示は、区分面の数が少ない場合には１つの区分面選択画面に全ての区分面が表示され、区分面の数が多い場合には複数の区分面選択画面に分割されて表示される。後者の場合には、区分面選択画面切り換えボタンも同時に表示され、このボタンを押すことにより分割された区分面選択画面間の切り換えを行うことができる。
【０００３】
図７は、従来方式の区分面選択画面の一例である。この例では、「ＡＭ差立１面」から「ＰＭ配達２４面」までの計２４個の区分面が区分面選択画面２０〜２２からなる３ページに分割されて表示されている。操作者は、この中の所望の1個の区分面をマウス又は指で押して選択した後、「確定」ボタンを押すことにより区分面の設定を行う。区分面選択画面の切り替えは、「次へ」ボタン、「前へ」ボタン、を押すことにより行うことができる。また、選択した区分面は「取消」ボタンを押すことにより取り消しすることができる。これら24個の区分面の表示順位は固定で、いつ操作しても同じ順位で表示されていた。すなわち、最初に区分面選択画面（１ページ）２０が表示され、「次へ」ボタンを押すことによって区分面選択画面（２ページ）２１が表示され、さらに、「次へ」ボタンを押すことによって区分面選択画面（３ページ）２２が表示されていた。
【０００４】
このように、従来、区分面の表示順位は固定であり、いつ操作しても、同じ順位で表示されていた。（例えば、特許文献１参照。）。
【特許文献１】特開２００１−８７７１３号公報  （第３―５頁、図１２）
【発明の開示】
【発明が解決しようとする課題】
【０００５】
しかしながら、区分面の数が多くなると、分割される区分画選択画面のページ数が多くなり、表示順位が後方の区分画を選択する場合には、その区分面選択画面切り換えの操作が煩わしくなるという問題があった。
【０００６】
本発明は上記問題を解決するためになされたもので、表示順位が後方の区分画であっても、表示する時間帯によって区分面の表示順位に優先度を設けて区分面を表示することによって操作性のよい郵便物読取区分機の区分方法を提供することを目的とする。
【課題を解決するための手段】
【０００７】
上記目的を達成するために、本発明の郵便物読取区分機の区分方法は、郵便物に記載された配達区分情報を読み取り、区分面選択画面から選択された区分面によって設定された区分口に、前記郵便物を区分する郵便物読取区分機の区分方法であって、前記区分面の切り替え指示が入力されたとき、前記郵便物の処理区分によって前記区分口の区分先を設定した前記区分面選択画面の区分面の表示順位を切り替える表示順位設定処理工程と、この表示順位設定処理工程の処理結果に基づいて、前記区分面選択画面に前記区分面をページに分割して表示するページ分割処理工程と、このページ分割処理工程の結果に基づいて前記区分面を表示した前記区分面選択画面の最初のページを表示する最初のページ表示処理工程と、この最初のページ表示処理工程の結果前記最初のページが表示された前記区分面選択画面から区分面が選択されたかを確認する区分面選択確認処理工程と、前記区分面選択画面から前記区分面が選択されたとき、この区分面を選択状態にする区分面選択処理工程と、この区分面選択処理工程の後、前記区分面を確定する確定ボタンが押されたとき、確定された区分面によって前記区分口を設定する確定処理工程とを有することを特徴とする。
【発明の効果】
【０００８】
本発明によれば、表示順位が後方の区分面であっても、表示する時間帯によって区分面の表示順位に優先度を設けて区分面を表示することができるので、操作性のよい郵便物読取区分機を提供することができる。
【発明を実施するための最良の形態】
【０００９】
以下、図面を参照して本発明の実施例を説明する。
【実施例】
【００１０】
図１は、本発明の実施例による郵便物読取区分機（以下、区分機と称する）の概略構成図である。区分機は、郵便物の郵便番号など配達区分情報を読み取り、その読み取り結果に基づいて区分面選択画面から選択された区分面によって設定された区分口に郵便物を集積する装置である。この区分機は、操作パネル１、取出部２、文字認識部３、区分・集積部４及び主制御部１０を有して構成されている。
【００１１】
上記操作パネル１は、これから処理する郵便物の処理区分に基づいて区分面選択画面を表示し、その区分面選択画面に表示された区分面を操作員が選択して入力するものである。郵便物の処理区分には差立区分処理と配達区分処理があり、差立区分処理は、自局で収集された郵便物を配達区分情報に基づいて、自局とそれ以外の方面別に区分する処理区分である。したがって、差立区分処理で方面毎に区分された郵便物は、その方面毎に配送されることになる。また、配達区分は、自局内で配達区分するために収集された郵便物を自局内の方面毎に区分する処理区分である。
【００１２】
上記取出部２は、上記操作パネル１で入力された区分面に基づいて供給された郵便物が一通ずつ搬送路（図示しない）に取出す。
【００１３】
文字認識部３は、上記搬送路に取出された郵便物の郵便番号及び住所からなる配達区分情報をＯＣＲで読み取り、このＯＣＲで読み取られた読取画像に記載された配達区分情報を認識する。
【００１４】
区分・集積部４は、上記配達区分情報がＩＪＰ（Ink  Jet  Printer  、図示しない）でバーコード印字され、このバーコード印字された配達区分情報に基づいて区分された郵便物を上記区分面で設定された区分口に集積する。
【００１５】
次に、図２を参照して主制御部１０を説明するブロック図の説明を行う。主制御部１０は、取出制御３０、搬送制御３１、区分部制御３２、操作パネル制御３３、ＩＪＰ制御３４を有して構成される。
【００１６】
上記主制御部１０は、取出制御３０、搬送制御３１、区分部制御３２、操作パネル制御３３、ＩＪＰ制御３４と通信を行い、区分機全体を制御する。
【００１７】
上記取出制御３０は、取出部２を制御する。上記搬送制御３１は、取出部２によって搬送路に供給された郵便物の搬送を制御する。
【００１８】
上記区分部制御３２は、文字認識部３が郵便物に記載された配達区分情報を読み取り認識した結果に基づき郵便物が区分・集積部４の決められた区分口（スタッカ）に集積されるように郵便物を区分する制御を行う。
【００１９】
上記操作パネル制御３３は、操作パネル１の制御を行う。この操作パネル制御３３は、表示制御部３５及び入力制御部３７を備えている。
【００２０】
上記表示制御部３５は、ＬＣＤ３６を制御し、上記区分面選択画面の表示、郵便物の集積情報表示、装置本体の異常情報表示を行うことができる。
【００２１】
上記入力制御部３７は、タッチパネル３８及びマウス３９の入力を制御し、上記区分面選択画面から区分面を押下またはマウス３９で指定したデータを入力することができる。
【００２２】
上記ＩＪＰ制御３４は、ＩＪＰを制御して上記配達区分情報を印字したバーコードを読み取り又は印字することができる。
【００２３】
次に、図３、図４を参照して区分面選択画面を説明する。図３は、本実施例に基づき、操作員が午前（ここでは、午前を第1の時間帯とする。）に操作するときの区分面選択画面である。この例では、「ＡＭ差立１面」から「ＰＭ配達２４面」までの計２４個の区分面が３ページに分割されて表示されている。すなわち「ＡＭ差立１面」から「ＡＭ配達１０面」までが区分面選択画面１１（1ページ）に表示され、「ＡＭ配達１１面」から「ＰＭ配達２０面」までが区分面選択画面１２（2ページ）に表示され、「ＰＭ配達２１面」から「ＰＭ配達２４面」までが区分面選択画面１３（3ページ）に表示されている。この区分面選択画面には、午前に操作する優先度の高い区分面から順に配置される。すなわち、区分画選択画面１１には、午前に操作する優先度の最も高い「ＡＭ差立１面」が配置される。
【００２４】
ここで、区分面の代表的な名称を説明する。他の区分面の名称も同様に付与される。  
ＡＭ差立１面：ＡＭ（午前）に処理する差立区分処理の区分面で、第1の区分面。  
ＡＭ配達７面：ＡＭ（午前）に処理する配達区分処理の区分面で、第7の区分面。  
ＰＭ差立１３面：ＰＭ（午後）に処理する差立区分処理の区分面で、第１３の区分面。  
ＡＭ配達１９面：ＰＭ（午後）に処理する配達区分の区分面で、第１９の区分面。
【００２５】
操作者は、この区分画選択画面の中の所望の1個の区分面をマウス又は指で押して選択した後、「確定」ボタンを押すことにより区分機が処理する区分面の設定を行うことができる。３つの画面間の切り替えは、「前へ」、「次へ」ボタンを押すことにより行うことができる。
【００２６】
図４は、本実施例に基づき、操作員が午後（ここでは、午後を第２の時間帯とする。）に操作するときの区分面選択画面である。この例では、「ＰＭ差立１３面」からＡＭ差立１２面」までの計２４個の区分面が３ページに分割されて表示されている。すなわち「ＰＭ差立１３面」から「ＰＭ配達２２面」までが区分面選択画面１５（1ページ）に表示され、「ＰＭ配達２３面」から「ＡＭ配達８面」までが区分面選択画面１６（2ページ）に表示され、「ＡＭ配達９面」から「ＡＭ差立１２面」までが区分面選択１７（3ページ）に表示されている。
【００２７】
この区分面選択画面には、午後に操作する優先度の高い区分面から順に区分面が配置される。すなわち、区分画選択画面１５には、午後に操作する優先度の最も高い「ＰＭ差立１３面」が配置される。
【００２８】
次に、図５を参照して区分画面切り替えの操作手順を説明する。また、図３を参照してこの操作手順を説明する上で必要となる区分面の動作も説明する。最初に操作員によって画面・操作表示部１から区分画面の切り替えが指示される（Ｓ１）。
【００２９】
次に、上記区分面の切り替え指示に基づいて区分面の表示順位が決定される（表示順位設定処理、Ｓ２）。なお、この表示順位設定処理は、図６で詳述する。
【００３０】
次に、上記表示順位設定処理によって設定された区分面を表示するための優先順位に基づきページ分割を行う（ページ分割処理、Ｓ３）。
【００３１】
このページ分割処理に基づき、最初のページを表示する（最初のページ表示処理、Ｓ４）。
【００３２】
次に、表示された区分面の中に、所望する区分面があるかどうか操作員によって確認される（区分面選択確認処理、Ｓ５）。
【００３３】
所望する区分面がある場合は（Ｓ５のＹｅｓ）、その区分面が操作員によって押されると（Ｓ６）、表示制御部３５は、ボタン表示部分を沈んだ状態にして、区分面の表示部分を選択状態にする（区分面選択処理、Ｓ７）。例えば、図３の区分面１１０のボタン表示部分１１１が沈んだ状態になる。
【００３４】
この選択状態は、「確定」ボタン１１２が押されることによって区分面が設定される（Ｓ８）。この設定された区分面によって区分機の区分・集積部４のそれぞれの区分口に設けられた配達区分先を表示するスタッカ表示部（図示しない）の表示が切り替わる（Ｓ９）。
【００３５】
しかしながら、ステップＳ５において、表示された区分面の中に、所望する区分面がない場合は（Ｓ５のNｏ）、「次へ」ボタン１１３を押すことによって（Ｓ１０）、上記区分面選択画面の現在表示しているページの次のページが表示される（Ｓ１１）。また、「前へ」ボタン１１４を押すことによって、上記区分面選択画面の現在表示しているページの前のページが表示される。さらにまた、「取消」ボタン１１５を押すことによって、上記区分面の選択状態を取り消すことができる。
【００３６】
次に、図６を参照して区分面表示順位の設定フローチャートを説明する。最初に、現在時刻が確認される（時刻確認処理、Ｓ２０）。この時刻確認処理による確認の結果、午前の場合（Ｓ２０のＡＭ）、郵便物の処理区分によって区分した区分面の表示順位を、午前の処理を先に表示し、午後の処理を後に表示するため、区分面ＡＭボタン(ＡＭ差立＊＊、ＡＭ配達＊＊)の後にＰＭボタン(ＰＭ差立＊＊、ＰＭ配達＊＊)を表示する（第１の表示順位設定処理）。
【００３７】
また、ステップＳ２０の確認の結果、午後の場合（Ｓ２０のＰＭ）、午後の処理を先に表示し、午前の処理を後に表示するため、区分面の表示順位をＰＭボタン(ＰＭ差立＊＊、ＰＭ配達＊＊)の後にＡＭボタン(ＡＭ差立＊＊、ＡＭ配達＊＊)を表示する（第2の表示順位設定処理）。
【００３８】
このように、表示順位が後方の区分面であっても、表示する時間帯によって区分面の表示順位に優先度を設けて区分面を表示することができるので、操作性のよい郵便物読取区分機を提供することができる。
【図面の簡単な説明】
【００３９】
【図１】本発明の実施例による郵便物読取区分機の概略構成図。
【図２】郵便物読取区分機の主制御部を説明するブロック図。
【図３】午前に操作するときの区分面選択画面。
【図４】午後に操作するときの区分面選択画面。
【図５】区分面切り替えフローチャート。
【図６】区分面表示順位の設定フローチャート。
【図７】従来の区分面選択画面。
【符号の説明】
【００４０】
１  操作パネル
２  取出部
３  文字認識部
４  区分・集積部
１０  主制御部
１１〜１３  区分面選択画面
１５〜１７  区分面選択画面
２０〜２２  区分面選択画面
【図１】
2005288347.tif 000003
【図２】
2005288347.tif 000004
【図３】
2005288347.tif 000005
【図４】
2005288347.tif 000006
【図５】
2005288347.tif 000007
【図６】
2005288347.tif 000008
【図７】
2005288347.tif 000009